(57)【特許請求の範囲】
【請求項１】
表示面に画像を表示する表示部と、
前記表示面に配され、タッチされた位置を検出するタッチセンサと、
所定の点灯パターンと所定の色との組み合わせから成るイルミネーションパターンに従ったイルミネーションを表示するイルミネーション部と、
複数の前記点灯パターンが示された画面を前記表示部に表示させ、何れかの前記点灯パターンが選択された後に、色情報の抽出領域が設定される画像を前記表示部に表示させる表示制御部と、
前記表示面に表示された前記画像におけるタッチされた位置に前記抽出領域を設定する設定部と、
前記設定部により設定された前記抽出領域に含まれる色情報を抽出する抽出部と、
前記抽出部より前記抽出領域から抽出された前記色情報を、選択された前記点灯パターンに組み合わせて前記イルミネーションパターンを生成する生成部と、
を備えることを特徴とする携帯端末装置。
【請求項２】
請求項１に記載の携帯端末装置において、
前記イルミネーション部は、前記生成部により前記イルミネーションパターンが生成されたことに応じて、生成された前記イルミネーションパターンに基づく前記イルミネーションを表示する、
ことを特徴とする携帯端末装置。
【請求項３】
請求項１または２に記載の携帯端末装置において、
カメラ部をさらに備え、
前記表示制御部は、前記カメラ部により撮影された画像を前記表示部に表示させる制御を行い、
前記設定部は、前記カメラ部により撮影された前記画像に対して前記色情報の前記抽出領域を設定する、
ことを特徴とする携帯端末装置。
【請求項４】
請求項１ないし３の何れか一項に記載の携帯端末装置において、
前記設定部は、前記点灯パターンに応じた数の前記抽出領域を設定する、
ことを特徴とする携帯端末装置。
【請求項５】
表示面に画像を表示する表示部と、
前記表示面に配され、タッチされた位置を検出するタッチセンサと、
所定の点灯パターンと所定の色との組み合わせから成るイルミネーションパターンに従ったイルミネーションを表示するイルミネーション部と、
前記表示面に表示された画像におけるタッチされた位置に色情報の抽出領域を設定する設定部と、
前記設定部により設定された前記抽出領域に含まれる色情報を抽出する抽出部と、
前記抽出部により抽出された前記色情報に基づいて前記イルミネーションパターンを生成する生成部と、を備え、
前記設定部は、前記点灯パターンに応じた数の前記抽出領域を設定する、
ことを特徴とする携帯端末装置。
【請求項６】
表示面に画像を表示する表示部と、
前記表示面に配され、タッチされた位置を検出するタッチセンサと、
を備える携帯端末装置のコンピュータに、
複数の点灯パターンが示された画面を前記表示部に表示させ、何れかの前記点灯パターンが選択された後に、色情報の抽出領域が設定される画像を前記表示部に表示させる機能と、
前記表示面に表示された前記画像におけるタッチされた位置に前記抽出領域を設定する機能と、
設定された前記抽出領域に含まれる色情報を抽出する機能と、
前記抽出領域から抽出された前記色情報を、選択された前記点灯パターンに組み合わせてイルミネーションパターンを生成する機能と、
生成されたイルミネーションパターンに従ったイルミネーションを表示する機能と、
を実行させることを特徴とするプログラム。
【請求項７】
表示面に画像を表示する表示部と、
前記表示面に配され、タッチされた位置を検出するタッチセンサと、
を備える携帯端末装置のイルミネーション生成方法において、
複数の点灯パターンが示された画面を前記表示部に表示させ、何れかの前記点灯パターンが選択された後に、色情報の抽出領域が設定される画像を前記表示部に表示させるステップと、
前記表示面に表示された前記画像におけるタッチされた位置に前記抽出領域を設定するステップと、
設定された前記抽出領域に含まれる色情報を抽出するステップと、
前記抽出領域から抽出された前記色情報を、選択された前記点灯パターンに組み合わせてイルミネーションパターンを生成するステップと、
生成されたイルミネーションパターンに従ったイルミネーションを表示するステップと、
を含むことを特徴とするイルミネーション生成方法。
【発明の詳細な説明】
【技術分野】
【０００１】
本発明は、携帯電話機やＰＤＡ（Personal Digital Assistant）等の携帯端末装置および当該携帯端末装置に用いて好適なプログラムおよびイルミネーション生成方法に関する。
【背景技術】
【０００２】
従来、メールや音声の着信に応じて、ＬＥＤ（Light  Emitting  Diode）等の光源を点滅させる携帯端末装置が知られている。この構成では、光源の点滅によって、着信内容に応じたイルミネーションが表示される。ユーザは、イルミネーションを視認することにより、メール着信や音声着信があったことや、送信元に関する情報など、各種の情報を知ることができる。
【０００３】
以下の特許文献１には、イルミネーションのパターンを選択可能な携帯端末装置が開示されている。
【先行技術文献】
【特許文献】
【０００４】
【特許文献１】特開２００８−０３５３８６号公報
【発明の概要】
【発明が解決しようとする課題】
【０００５】
しかしながら、特許文献１の構成によれば、ユーザは、イルミネーションのパターンを選択できるものの、イルミネーション表示の際の色を独自に設定することはできない。ユーザが望んだ色でイルミネーションを表示できれば、イルミネーションの識別性や美感が向上する。
【０００６】
本発明は、かかる課題に鑑みてなされたものであり、ユーザが望んだ色でユーザ独自のイルミネーションを生成できる携帯端末装置、プログラムおよびイルミネーション生成方法を提供することを目的とする。
【課題を解決するための手段】
【０００７】
本発明の第１の態様に係る携帯端末装置は、表示面に画像を表示する表示部と、前記表示面に配され、タッチされた位置を検出するタッチセンサと、所定の点灯パターンと所定の色との組み合わせから成るイルミネーションパターンに従ったイルミネーションを表示するイルミネーション部と、複数の前記点灯パターンが示された画面を前記表示部に表示させ、何れかの前記点灯パターンが選択された後に、色情報の抽出領域が設定される画像を前記表示部に表示させる表示制御部と、前記表示面に表示された前記画像におけるタッチされた位置に前記抽出領域を設定する設定部と、前記設定部により設定された前記抽出領域に含まれる色情報を抽出する抽出部と、前記抽出部より前記抽出領域から抽出された前記色情報を、選択された前記点灯パターンに組み合わせて前記イルミネーションパターンを生成する生成部と、を備える。
【０００８】
本発明に係る携帯端末装置において、前記イルミネーション部は、前記生成部により前記イルミネーションパターンが生成されたことに応じて、生成された前記イルミネーションパターンに基づく前記イルミネーションを表示し得る。
【０００９】
また、本発明に係る携帯端末装置は、カメラ部をさらに備え得る。この場合、前記表示制御部は、前記カメラ部により撮影された画像を前記表示部に表示させる制御を行う。さらに、前記設定部は、前記カメラ部により撮影された前記画像に対して前記色情報の前記抽出領域を設定する。
【００１０】
本発明に係る携帯端末装置において、前記設定部は、前記点灯パターンに応じた数の前記抽出領域を設定し得る。
【００１１】
本発明の第２の態様に係る携帯端末装置は、表示面に画像を表示する表示部と、前記表示面に配され、タッチされた位置を検出するタッチセンサと、所定の点灯パターンと所定の色との組み合わせから成るイルミネーションパターンに従ったイルミネーションを表示するイルミネーション部と、前記表示面に表示された画像におけるタッチされた位置に色情報の抽出領域を設定する設定部と、前記設定部により設定された前記抽出領域に含まれる色情報を抽出する抽出部と、前記抽出部により抽出された前記色情報に基づいて前記イルミネーションパターンを生成する生成部と、を備える。ここで、前記設定部は、前記点灯パターンに応じた数の前記抽出領域を設定する。
【００１２】
本発明の第３の態様は、プログラムに関する。本態様に係るプログラムは、表示面に画像を表示する表示部と、前記表示面に配され、タッチされた位置を検出するタッチセンサと、を備える携帯端末装置のコンピュータに、複数の点灯パターンが示された画面を前記表示部に表示させ、何れかの前記点灯パターンが選択された後に、色情報の抽出領域が設定される画像を前記表示部に表示させる機能と、前記表示面に表示された前記画像におけるタッチされた位置に前記抽出領域を設定する機能と、設定された前記抽出領域に含まれる色情報を抽出する機能と、前記抽出領域から抽出された前記色情報を、選択された前記点灯パターンに組み合わせてイルミネーションパターンを生成する機能と、生成されたイルミネーションパターンに従ったイルミネーションを表示する機能と、を実行させる。
【００１３】
本発明の第４の態様は、表示面に画像を表示する表示部と、前記表示面に配され、タッチされた位置を検出するタッチセンサと、を備える携帯端末装置のイルミネーション生成方法に関する。本態様に係るイルミネーション生成方法は、複数の点灯パターンが示された画面を前記表示部に表示させ、何れかの前記点灯パターンが選択された後に、色情報の抽出領域が設定される画像を前記表示部に表示させるステップと、前記表示面に表示された前記画像におけるタッチされた位置に前記抽出領域を設定するステップと、設定された前記抽出領域に含まれる色情報を抽出するステップと、前記抽出領域から抽出された前記色情報を、選択された前記点灯パターンに組み合わせてイルミネーションパターンを生成するステップと、生成されたイルミネーションパターンに従ったイルミネーションを表示するステップと、を含む。
【発明の効果】
【００１４】
本発明によれば、ユーザが望んだ色でユーザ独自のイルミネーションを生成できる携帯端末装置、プログラムおよびイルミネーション生成方法を提供することができる。
【００１５】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１６】
【図１】実施の形態に係る、携帯電話機の外観構成を示す図である。
【図２】実施の形態に係る、携帯電話機の第１キャビネットの正面図である。
【図３】実施の形態に係る携帯電話機の全体構成を示すブロック図である。
【図４】実施の形態に係るイルミネーションの表示パターンを説明する図である。
【図５】実施の形態に係るイルミネーションの表示パターンを説明する図である。
【図６】実施の形態に係る表示パターンを生成するための制御の処理手順を示すフローチャートである。
【図７】実施の形態に係る表示パターンの作成のための操作がなされているときの画面の表示内容とイルミネーションを説明するための図である。
【図８】実施の形態に係る表示パターンの作成のための操作がなされているときの画面の表示内容とイルミネーションを説明するための図である。
【図９】変更例１に係る抽出領域と光源の対応関係と、表示パターンの作成のための操作がなされているときの画面の表示内容とイルミネーションと、を説明するための図である。
【図１０】変更例２に係る表示パターンを生成するための制御の処理手順を示すフローチャートである。
【図１１】変更例２に係る抽出領域とイルミネーション部における領域との対応関係を説明するための図である。
【図１２】変更例２に係る表示パターンの作成のための操作がなされているときの画面の表示内容とイルミネーションと、を説明するための図である。
【図１３】その他の変更例に係る表示パターンの作成のための操作がなされているときの画面の表示内容とイルミネーションを説明するための図である。
【発明を実施するための形態】
【００１７】
以下、本発明の実施の形態について、図面を参照して説明する。図１（ａ）は、第１キャビネット１０と第２キャビネット２０が並べられ、開いた状態の携帯電話機１の外観構成を示す。図１（ｂ）は、第１キャビネット１０と第２キャビネット２０が重ねられ、閉じた状態の携帯電話機１の外観構成を示す。図１（ｃ）は、第２キャビネット２０の背面図を示す。
【００１８】
携帯電話機１は、第１キャビネット１０と第２キャビネット２０を有する。第２キャビネット２０は、ヒンジ部３０によって、第１キャビネット１０に対し回転可能に連結されている。
【００１９】
第１キャビネット１０の正面には、キー操作部１１およびマイク１２が設けられている。
【００２０】
第２キャビネット２０の正面には、ディスプレイ２１を構成する液晶パネル２１ａ、およびスピーカ２２が配置されている。液晶パネル２１ａの正面には表示面２１ｂが設けられており、表示面２１ｂが外部に現れている。
【００２１】
液晶パネル２１ａの背後には、ディスプレイ２１を構成するパネルバックライト２１ｃが配されている。パネルバックライト２１ｃは、光源となるＬＥＤを備え、液晶パネル２１ａに光を供給する。
【００２２】
第２キャビネット２０の上側には、カメラモジュール２３が内蔵されている。カメラモジュール２３は、被写体を撮影するための光の像を取り込むレンズ２３ａを備え、レンズ２３ａが、第２キャビネット２０の背面に設けられたレンズ孔から外部を望む。
【００２３】
カメラモジュール２３は、レンズ２３ａから入射した光の像を撮像するＣＣＤ、ＣＭＯＳセンサ等の撮像素子を有する。カメラモジュール２３は、撮像素子から出力された撮像信号をデジタル化し、そのデジタル信号にガンマ補正等の各種補正を施して、後述の映像エンコーダ（図３）へ出力する。
【００２４】
ヒンジ部３０は、一対の回転軸３１および一対の軸受部３２を含む。回転軸３１は、第２キャビネット２０の連結側端部から左右に延びる。軸受部３２は、第１キャビネット１０の連結側端部に形成され、回転軸３１を受ける。
【００２５】
キー操作部１１は、テンキー、方向キー（上キー、下キー、右キー、左キー）、決定キー、通話キー、終話キー、所定のアプリケーションを起動するためのキー等、複数のキーから構成される。
【００２６】
図２は、第１キャビネット１０の正面図である。第１キャビネット１０の正面は、主に、上述のキー操作部１１と、それ以外のプレート部１２とから成る。プレート部１２の背後には、イルミネーション部４０が配されている。イルミネーション部４０は、複数（１４個）の光源４０ａ〜４０ｎを備え、これら光源４０ａ〜４０ｎは、プレート部１２の背面に分散して配されている。
【００２７】
イルミネーション部４０は、所定のイルミネーションの表示パターン（後述）に従ってイルミネーションを表示する。これにより、メールの着信、通話着信、アラーム等が、ユーザへ視覚的に通知される。
【００２８】
光源４０ａ〜４０ｎは、それぞれ、３原色を発光するＬＥＤが組み合わされた構成が採られており、３色の光が合成されることにより、各種の明るさと各種の色を有する光を発光する。光源４０ａ〜４０ｂが発光することにより、イルミネーション部４０が、所定表示パターンに従ったイルミネーションを表示する。
【００２９】
なお、本実施の形態では、光源４０ａ〜４０ｎは、ディスプレイ２１により表示可能な色の数よりも少ない数の色（たとえば、５１２色）を表示できる構成が採られている。また、光源は、複数の色を発光できれば、有機ＥＬ等、他の発光部材から構成されても良い。
【００３０】
なお、図２において、光源４０ａ〜４０ｎが配されている位置は、便宜上、円によって図示されているが、上述の如くプレート部１２の背後に配されているため、光源４０ａ〜４０ｎは外部から視認できない。光源４０ａ〜４０ｎが発光した場合、出射した光は、プレート部１２を透過し、外部から視認可能となる。
【００３１】
図２に示す如く、４つの光源４０ａ〜４０ｄは、キー操作部１１の左側に、上から順に縦（Ｙ軸方向）に略等間隔で整列して配されている（垂直補助線Ｇ１参照）。キー操作部１１のテンキーが縦３列に配されており、左から１列目と２列目のテンキーの間に、３つの光源４０ｅ〜４０ｇが、上記４つの光源４０ａ〜４０ｄの略中間の高さの位置に、上から順に縦に整列して配されている（垂直補助線Ｇ２参照）。左から第２列目と第３列目のテンキーの間に、３つの光源４０ｈ〜４０ｊが、上記３つの光源４０ｅ〜４０ｇと同じ高さの位置に、上から順に縦に整列して配されている（垂直補助線Ｇ３参照）。４つの光源４０ｋ〜４０ｎは、キー操作部１１の右側において、上記４つの光源４０ａ〜４０ｄと同じ高さの位置に、上から順に縦に略等間隔で整列して配されている（垂直補助線Ｇ４参照）。
【００３２】
この結果、光源４０ａ〜４０ｎのうち、光源４０ａ、４０ｋが１番高い位置に配されている（水平補助線Ｈ１参照）。以下同様に、上から順番に、光源４０ｅ、４０ｈが２番目に高い位置に配され（水平補助線Ｈ２参照）、光源４０ｂ、４０ｌが３番目に高い位置に配され（水平補助線Ｈ３参照）、光源４０ｆ、４０ｉが４番目に高い位置に配され（水平補助線Ｈ４参照）、光源４０ｃ、４０ｍが５番目に高い位置に配され（水平補助線Ｈ５参照）、光源４０ｇ、４０ｊが６番目に高い位置に配され（水平補助線Ｈ６参照）、光源４０ｄ、４０ｎが７番目に高い位置に配されている（水平補助線Ｈ７参照）。
【００３３】
図３は、携帯電話機１の全体構成を示すブロック図である。
【００３４】
携帯電話機１は、上述の各構成要素の他、ＣＰＵ１００、メモリ１０１、通信モジュール１０２、キー入力回路１０３、音声エンコーダ１０４、バックライト駆動回路１０５、映像デコーダ１０６、音声デコーダ１０７、光源制御回路１０８、映像エンコーダ１０９を備える。
【００３５】
通信モジュール１０２は、ＣＰＵ１００からの通話のための信号、アプリケーションの実行に係るデータ等を無線信号に変換し、第１キャビネット１０に内蔵されるアンテナ（図示せず）を介して基地局へ送信する。また、通信モジュール１０２は、アンテナを介して基地局から受信した無線信号を、通話のための信号、アプリケーションの実行に係るデータ等に変換して、ＣＰＵ１００へ出力する。これにより、通話のための信号、アプリケ
ーションの実行に係るデータ等が通信対象の機器から基地局を介して送受信される。
【００３６】
キー入力回路１０３は、キー操作部１１の各キーが操作されたときに、各キーに応じた入力信号をＣＰＵ１００へ出力する。
【００３７】
音声エンコーダ１０４は、マイク１２が集音した音声に基づいて生成されるアナログの音声信号を入力する。また、音声エンコーダ１０４は、入力したアナログの音声信号をデジタルの音声信号に変換するとともに、デジタルの音声信号にエンコード処理を施してＣＰＵ１００へ出力する。
【００３８】
バックライト駆動回路１０５は、ＣＰＵ１００からの制御信号に応じて、パネルバックライト２１ｃに電圧信号を供給する。パネルバックライト２１ｃは、バックライト駆動回路１０５からの電圧信号により点灯したり消灯したりする。
【００３９】
映像デコーダ１０６は、ＣＰＵ１００からの映像信号を、液晶パネル２１ａで表示できるアナログ若しくはデジタルの映像信号に変換し、液晶パネル２１ａに出力する。液晶パネル２１ａは、映像信号に応じた画像を表示面２１ｂ上に表示する。
【００４０】
音声デコーダ１０７は、ＣＰＵ１００からの音声信号、および着信音やアラーム音等の各種報知音の音信号にデコード処理を施し、さらにアナログの音声信号および音信号に変換してスピーカ２２に出力する。スピーカ２２は、音声デコーダ１０７からの音声信号や音信号に基づいて音声や報知音などを再生する。
【００４１】
光源制御回路１０８は、ＣＰＵ１００からの光源制御信号に基づき、所定の色と明るさの光を各光源４０ａ〜４０ｎが発光するよう、イルミネーション部４０に電力を供給して、イルミネーション部４０を制御する。光源制御信号は、各光源４０ａ〜４０ｎを個別に各色で発光させるためのＲＧＢ信号を含み、イルミネーション４０部は、各光源４０ａ〜４０ｎのＬＥＤをＲＧＢ信号に対応した色で発光させるよう電流を供給する。
【００４２】
映像エンコーダ１０９は、カメラモジュール２３からの信号にエンコード処理を施してＣＰＵ１００へ出力する。
【００４３】
メモリ１０１は、ＲＯＭおよびＲＡＭを含む記憶部である。メモリ１０１には、ＣＰＵ１００に制御機能を付与するための制御プログラムや各種アプリケーション、イルミネーションの表示パターン等が記憶されている。ここで、表示パターンは、イルミネーションの、色および明るさを含む発光状態の遷移を定めるパターンである。
【００４４】
なお、本実施の形態における「表示パターン」は、請求項に記載の「イルミネーションパターン」に対応する。
【００４５】
ＣＰＵ１００は、実行中の機能に基づき、撮影された被写体の画像（以下、「撮影画像」と言う。）を生成し、表示面２１ｂに表示させる。ここで、「撮影画像」は、カメラモジュール２３またはその他の撮影装置により被写体が撮影されることにより生成された画像である。なお、撮影画像は、静止画像に限らず、たとえば動画の１フレームの画像であってもよい。また、撮影画像のデータは、メモリ１０１からの読み込み、ネットワークを介した取得等、どのように取得されたものでもよい。
【００４６】
ＣＰＵ１００は、表示パターンに従ってイルミネーション部４０の各光源４０ａ〜４０ｎが発光するように光源制御回路１０８へ光源制御信号を出力する。
【００４７】
図４（ａ）〜図５（ｂ）は、イルミネーションの表示パターンを例示する図である。これらイルミネーションは、所定の１または複数の色で表示される。
【００４８】
図４（ａ）は、４つの光が垂直補助線Ｇ１〜Ｇ４に沿って上下に往復して流れるイルミネーションの例（パターン１）である。
【００４９】
ここで、光がある方向へ流れるとは、イルミネーションの発光状態が変化することにより、光がその方向へ移動するよう、所定の光源から別の光源へと発光が遷移することである。
【００５０】
なお、図４（ａ）〜図５（ｂ）において、各光源４０ａ〜４０ｎの周囲に放射状に描かれた線は、光源４０ａ〜４０ｎから発せられる光の明るさ（線が長いほど明るい）を模式的に表す。また、矢印は、光の移動の方向を模式的に表す。以下の図においても同様である
図４（ａ）に例示されるパターン１のイルミネーションでは、垂直補助線Ｇ１、Ｇ４に沿って、２つの光が同じ調子で上下に流れ（上向き矢印参照）、且つ、垂直補助線Ｇ１、Ｇ４に沿って流れる光とは逆の方向に移動するように、垂直補助線Ｇ２、Ｇ３に沿って、２つの光が同じ調子で上下に流れる（下向き矢印参照）。
【００５１】
図４（ｂ）は、４つの光が、図示の矢印の如く、イルミネーション部４０の所定の光源を時計回りに巡回する（４つの矢印参照）よう流れるイルミネーションの例（パターン２）である。４つの光は、互いに同じ周期で同期状態を保ちつつ巡回する。
【００５２】
図５（ａ）は、図示の矢印の如く、左下を向く６つの矢印に沿って６つの光が、全体として１つの周期で往復するように流れるイルミネーションの例（パターン３）である。パターン３のイルミネーションでは、矢印に略直交する方向に沿って配されている光源は、各瞬間において略同じ明るさで発光する。たとえば、光源４０ｃ、４０ｇは、略同じ明るさで発光する。また、光源４０ｂ、４０ｆ、４０ｊ、４０ｎは、略同じ明るさで発光し、さらに、光源４０ａ、４０ｅ、４０ｉ、４０ｍは、略同じ明るさで発光する。
【００５３】
図５（ｂ）は、アーチ状に曲がった４つの矢印（図中の矢印参照）に沿って、４つの光が往復するように流れるイルミネーションの例（パターン４）である。パターン４のイルミネーションでは、上から１番目と３番目の矢印に略沿って、２つの光が同じ調子で左右の方向へ往復するように流れ、且つ、これらとは逆方向へ移動するように、上から２番目と４番目の矢印に略沿って、残りの２つの光が同じ調子で左右の方向へ往復するように流れる。
【００５４】
図６は、本実施の形態に係る、制御処理を示すフローチャートである。図６の処理は、撮影された画像に含まれている色を利用してユーザ独自の表示パターンを生成するとともに、生成された表示パターンに従ったイルミネーションを表示するための処理である。
【００５５】
図７（ａ）〜（ｂ）は、新たな表示パターンを生成するために用いられる点灯パターンを選択する画面とそのパターンに従ったイルミネーションとの表示例を示す図である。
【００５６】
ここで、点灯パターンは、イルミネーションの表示の際の発光の明るさの遷移のパターンである。点灯パターンに所定の色が組み合わされることによりイルミネーションの表示パターンが生成される。ＣＰＵ１００は、生成された表示パターンに従ってイルミネーションをイルミネーション部４０に表示でき、また、生成された表示パターンをメモリ１０１に記憶できる。
【００５７】
点灯パターンは、各光源４０ａ〜４０ｎが時間に応じて、明るさを遷移させるためのパターンである。たとえば、明るさ（たとえば、輝度または明度）は、数値０（非点灯）〜１（最大の明るさ）で表される。色がＲＧＢの３つの数値で表される場合、ＲＧＢの３つの数値にそれぞれ点灯パターンの明るさを表す数値が乗算されることにより、表示パターンが生成される。このような表示パターンの生成処理は、ＣＰＵ１００により実行される。
【００５８】
図６の処理において、図４（ａ）〜図５（ｃ）で例示した４つ表示パターンは、点灯パターンとして用いられる。すなわち、この場合、ＣＰＵ１００は、これらの表示パターンに元来指定されていた色に替えて、上記所定の色を組み合わせることにより、新たな表示パターンを生成する。
【００５９】
ユーザにより表示パターンの生成を開始するための所定の操作がなされると、図６の表示パターン生成処理が開始される。
【００６０】
図６のステップＳ１０１において、ＣＰＵ１００は、図７（ａ）に示す如く、点灯パターンを掲示するリスト画面２０１を表示面２１ｂに表示し、点灯パターンを選択するための操作を受け付ける。
【００６１】
リスト画面２０１は、「パターン１」、「パターン２」、・・・なる文字の表示によって、複数の点灯パターンを掲示する。パターン１〜４は、図４（ａ）〜図５（ｂ）に示される４つ点灯パターンに対応する。図７（ａ）において、現在「パターン１」がフォーカスされている（黒丸印および文字「パターン１」の下線参照）。
【００６２】
ＣＰＵ１００は、現在フォーカスされている点灯パターン（パターン１）に従って、白色の光のイルミネーションを表示する。さらに、上キーまたは下キーが押下されると、ＣＰＵ１００は、押下されたキーに応じて、現在フォーカスしているパターンを切り替える。たとえば、下キーが押下されると、図７（ｂ）に示す如く、「パターン２」がフォーカスされ、パターン２（図４（ｂ））に従って、白色の光のイルミネーションが表示される。
【００６３】
図７（ｂ）の状態において、ユーザにより決定キーが押下されると、現在フォーカスされていた、パターン２に対応する点灯パターンが選択されたとして、ＣＰＵ１００は、この点灯パターンを、イルミネーションの表示パターンを生成するために用いられるよう設定する。
【００６４】
かかる後、ＣＰＵ１００は、カメラモジュール２３の駆動し（Ｓ１０２）、映像エンコーダ１０９からの信号に基づき、撮影画像を表示面２１ｂに表示する（Ｓ１０３）。さらに、ＣＰＵ１００は、表示面２１ｂに表示された撮影画像に対して色（色情報）の抽出領域を設定するとともに、設定された抽出領域をユーザに通知するため、抽出領域の周囲を囲む枠の画像を撮影画像に重ねて表示する（Ｓ１０４）。ここで、色の抽出領域は、円形で、且つ、表示面２１ｂの中央に配されるよう設定される。
【００６５】
以後、カメラモジュール２３は、後にその動作が停止されるまで（後述のＳ１１６）、被写体を撮影し、撮像信号に基づく信号を映像エンコーダ１０９へ出力し続ける。
【００６６】
図７（ｃ）、図８（ａ）、図８（ｂ）は、表示面２１ｂに表示される撮影画像およびイルミネーションの表示例を示す図である。
【００６７】
図７（ｃ）において、表示面２１ｂには撮影画像２０２表示されている。撮影画像２０
２は、被写体である複数の色鉛筆２０３〜２０７の画像を含む。また、抽出領域３０１を表す円形の枠の画像２０８が、表示面２１ｂの中央に、撮影画像２０２に重ねて表示されている。
【００６８】
表示面２１ｂの下側には、「Ｐｒｅｖ」「Ｎｅｘｔ」なる文字の画像２０９が表示されている。文字の画像２０９に係る、点灯パターンの変更のための処理については、追って、図８（ａ）〜（ｂ）を用いて詳述する。
【００６９】
さて、色鉛筆２０３〜２０７の色は、上からそれぞれ、青色、緑色、桃色、水色、橙色であり、各色鉛筆２０３〜２０７の側周部は、それぞれ対応する色に塗装されている。枠の画像２０８は、桃色の色鉛筆２０５の側周部上に表示されている。
【００７０】
なお、図７（ｃ）において、色鉛筆を示す番号２０３〜２０７の右側にそれぞれ付記された色の名称は、その色鉛筆の色である。また、枠の画像を示す番号２０８の右側に付記された色の名前は、抽出領域３０１の中心（枠の画像２０８の中心）に位置する画素の色である。これら色の名前は、参照のために付記されている。以下の図においても同様である。
【００７１】
図６戻り、ＣＰＵ１００は、撮影画像２０２における、抽出領域３０１上の部分の画像から色を抽出し、抽出した色を、表示パターンを生成するために点灯パターンに組み合わされる色として設定する（Ｓ１０５）。具体的には、抽出領域３０１の中心に位置する画素の色のＲＧＢ値が、抽出領域に含まれる色情報として、抽出される。たとえば図７（ｃ）の場合、桃色が、より正確には桃色に対応するＲＧＢ値が抽出され、パターン２に対応する点灯パターン（図４（ｂ））に組み合わされる色に設定される。
【００７２】
さらに、ＣＰＵ１００は、選択された点灯パターン（パターン２）と抽出された色（桃色）とを組み合わせて、イルミネーションの表示パターンを生成し（Ｓ１０６）、この表示パターンに従ったイルミネーションの表示を開始する（Ｓ１０７）。
【００７３】
なお、上述のように、光源４０ａ〜４０ｎが表示できる色の数は、ディスプレイ２１が表示できる色の数より少ない。このため、本実施の形態において、抽出された色が点灯パターンに組み合わされるとは、実際には、光源４０ａ〜４０ｎが表示できる色のうち抽出された色（設定された色）に近い色の光が、点灯パターンに組み合わされることをいう。
【００７４】
以後、イルミネーション部４０は、後に停止されるまで（後述のＳ１１９）、ＣＰＵ１００による制御に基づき、生成された表示パターンに従ったイルミネーションを表示し続ける。
【００７５】
この結果、図７（ｃ）に示す如く、第１キャビネット１０のイルミネーション部４０において、パターン２に対応する点灯パターンに従って、桃色の光を発するイルミネーションが表示される。
【００７６】
以後、キー操作部１１の何れのキーも押下されない場合（Ｓ１０８：ＮＯ、Ｓ１０９：ＮＯ）、ステップＳ１１０〜Ｓ１１３の処理が繰り返し実行されることとなる。
【００７７】
ステップＳ１１０の処理は、ステップＳ１０３の処理に同じである。すなわち、ステップＳ１１１において、ＣＰＵ１００は、枠の画像２０８を撮影画像２０２に重ねて表示する。
【００７８】
ステップＳ１１２において、ＣＰＵ１００は、ステップＳ１０５と同様にして抽出領域
３０１から色を抽出し、抽出した色を、表示パターンを生成するために点灯パターンに組み合わされる色に更新して設定する。
【００７９】
ステップＳ１１３において、ＣＰＵ１００は、ステップＳ１０６の処理と同様に、表示パターンを生成する。
【００８０】
すなわち、ステップＳ１１０〜Ｓ１１３の処理が繰り返し実行される結果、たとえば図８（ａ）に示す如く撮影画像２０２の内容が変化し、水色の色鉛筆２０６の側周部が抽出領域３０１上に移った場合、水色が、表示パターンを生成するために点灯パターンに組み合わされる色として、更新して設定される（Ｓ１１２）。これにより、新たに水色と点灯パターン（パターン２）が組み合わされた表示パターンが生成される（Ｓ１１３）。これによって、イルミネーションの光の色が、桃色から水色へ変化する。
【００８１】
図８（ａ）の状態において、たとえば右キーが押下されると（Ｓ１０８：ＹＥＳ）、ＣＰＵ１００は、選択されていた点灯パターン（パターン２）を次の点灯パターン（パターン３）へ更新し（Ｓ１１４）、さらに、ステップＳ１０６の処理と同様に、表示パターンを生成する（Ｓ１１５）。すなわち、イルミネーションの表示パターンを生成するために用いられる点灯パターンは、パターン２からパターン３（図５（ａ））へ更新される。この結果、イルミネーションの点灯パターンが、パターン２からパターン３へ変更される。こうして、図８（ｂ）に示すように、変更された表示パターンに従ってイルミネーション部４０にイルミネーションが表示される。
【００８２】
なお、左キーが押下された場合（Ｓ１０８：ＹＥＳ）、ＣＰＵ１００は、点灯パターン（パターン２）を前の点灯パターン（パターン１）へ更新する（Ｓ１１４）。この場合、パターン１の点灯パターンに水色が組み合わされて、表示パターンが生成され（Ｓ１１５）、さらに生成された表示パターンに従ってイルミネーション部４０にイルミネーションが表示されることとなる。
【００８３】
図８（ｂ）の状態で、決定キーが押下されると（Ｓ１０９：ＹＥＳ）、ＣＰＵ１００は、カメラモジュール２３の動作を停止させる（Ｓ１１６）。そして、ＣＰＵ１００は、生成された表示パターンをメモリ１０１に保存し（Ｓ１１７）、さらに、図８（ｃ）に示す如く、表示パターンがメモリ１０１に保存されたことを通知するための通知画面２１０を、表示面２１ｂに表示する（Ｓ１１８）。
【００８４】
図８（ｃ）の場合、決定キーが押下されたときにおいて選択されていたパターン３に対応する点灯パターン（図５（ａ））に従って、設定されていた水色の光を発するイルミネーションの表示パターンが、メモリ１０１に表示される。
【００８５】
ステップＳ１１８において、ＣＰＵ１００は、通知画面２１０が表示されてから所定時間（たとえば表示パターン数周期分の時間）が経過した後、通知画面２１０の表示を解除する。すなわち、保存された表示パターンに従ったイルミネーションが、この所定時間の間表示される。かかる後、ＣＰＵ１００は、ステップＳ１０７において表示が開始されたイルミネーションの表示を停止し（Ｓ１１９）、図６の処理を終了する。
【００８６】
このように、生成、保存された表示パターンは、所定の設定に基づき、メール着信時、音声着信時、アラーム作動時等の所定のイベントに対応される。後に、このイベントが発生すると、保存されている表示パターンに従ったイルミネーションが表示され、イベント発生がユーザへ通知される。
【００８７】
以上、本実施の構成によれば、表示面２１ｂに表示される撮影画像２０２における、表
示面２１ｂの中央に配された抽出領域３０１上の部分から色（色情報）が抽出される。抽出された色が、ユーザにより選択された点灯パターン組み合わされ、表示パターンが生成される。よって、ユーザは、イルミネーションの色を、簡単且つ直観的に指定できる。
【００８８】
このように生成されるイルミネーションの表示パターンは、撮影された被写体の画像から抽出された色を利用するものであり、従来の、既存の表示パターンから選択的に表示パターンを作成する方法では、作成が困難である。すなわち、ユーザは、ユーザ独自のイルミネーションを簡単に作成できる。
【００８９】
また、撮影画像２０２が表示面２１ｂに表示されている間、表示パターンは随時生成されるとともに、生成された表示パターンに従ったイルミネーションがイルミネーション部４０に表示される。よって、生成される表示パターンがどのようなイルミネーションを表すかを、ユーザは、直接的に確認できる。
【００９０】
また、カメラモジュール２３により撮影された画像が、撮影画像２０２として表示面２１ｂに随時表示され、この撮影画像２０２に基づき、表示パターンが生成されるとともに随時生成された表示パターンのイルミネーションが表示される。よって、ユーザは、望みの被写体を撮影するだけで、その被写体の色の光を発するイルミネーションの表示パターンを、簡単に生成できる。
【００９１】
さらに、本実施の形態では、撮影画像２０２から色の選定する処理が実行されている際（図７（ｃ）参照）に、所定の操作（右キーまたは左キーの押下）がなされると、点灯パターンが現在選択されていた点灯パターンから別の点灯パターンへと切り替えられる構成が採られている。ユーザは、一旦選択した点灯パターンを容易に変更でき、便利である。上記所定の操作に応じて、新たな点灯パターンに基づき生成された表示パターンに従ったイルミネーションが表示されるため、ユーザは、複数の点灯パターンを、表示されるイルミネーションを視認しながら比較できる。
【００９２】
＜変更例１＞
上記実施の形態では、１色の光を発する表示パターンが生成されたが、変更例１では、複数の色の光を発する表示パターンが生成される。
【００９３】
図９（ａ）は、本変更例に係る、複数の抽出領域３０２ａ〜３０２ｎと光源４０ａ〜４０ｎとの対応関係を説明する図である。図９（ｂ）は、本変更例に係る、生成される表示パターンと、この表示パターンに従ったイルミネーションを説明する図である。
【００９４】
本変更例に係る制御処理は、図６のフローチャートに示される処理と同様である。ただし、以下に説明するように、本変更例では、光源４０ａ〜４０ｎと同じ数の抽出領域３０２ａ〜３０２ｎから色が抽出され、これらの色が各光源４０ａ〜４０ｎに対応づけられることによって、点灯パターンに組み合わされる色が設定される。
【００９５】
図９（ａ）を参照して、抽出領域３０１ａ〜３０１ｎは、表示面２１ｂにおいて、光源４０ａ〜４０ｎと略同じ配置状態となるよう、設定される。各抽出領域３０１ａ〜３０１ｎは、それぞれ、対応する位置にある光源４０ａ〜４０ｎに対応する。たとえば、抽出領域３０１ａは、光源４０ａに対応し、抽出領域３０１ｂは、光源４０ｂに対応され、抽出領域３０１ｃは、光源４０ｃに対応する。
【００９６】
図９（ａ）、（ｂ）を参照して、ＣＰＵ１００は、上述の如く抽出領域３０１ａ〜３０１ｎを設定し、さらに、抽出領域３０１ａ〜３０１ｎの周囲を囲む枠の画像２１１ａ〜２１１ｎを撮影画像２０２に重ねて表示する（Ｓ１０４）。そして、ＣＰＵ１００は、各抽
出領域３０１ａ〜３０１ｎからそれぞれ色を抽出し、抽出した複数の色を、点灯パターンに組み合わされる色に設定する（Ｓ１０５）。さらに、ＣＰＵ１００は、選択されている点灯パターンと設定された上記複数の色とを組み合わせて、表示パターンを生成する（Ｓ１０６）。これにより、各光源４０ａ〜４０ｎがそれぞれ対応する抽出領域３０１ａ〜３０１ｎから抽出された色で発光する表示パターンが生成される。
【００９７】
たとえば図９（ｂ）に例示する如く、撮影画像２０２と抽出領域３０１ａ〜３０１ｎを囲む枠の画像２１１ａ〜２１１ｎが表示面２１ｂに表示されているとき、ＣＰＵ１００は、各抽出領域３０１ａ〜３０１ｎから色を抽出する。図９（ｂ）の例では、枠の画像の番号２１１ａ〜２１１ｎの右側に付記される通り、複数の色が抽出される。なお、抽出領域３０２ａからは、背景色である灰色が抽出され、また、抽出領域３０２ｊ、３０２ｍからは、色鉛筆の芯を囲む木製の軸部の色である薄茶色が抽出されている。
【００９８】
この結果、生成された表示パターン（Ｓ１０６、Ｓ１１３、Ｓ１１５）に従ったイルミネーションがイルミネーション部４０に表示される。この際、各光源４０ａ〜４０ｎは、それぞれ対応する抽出領域３０２ａ〜３０２ｎから抽出された色の光を発する。図９（ｂ）の例では、光源４０ａ〜４０ｎは、それぞれ、灰色、青色、緑色、桃色、青色、桃色、桃色、緑色、桃色、薄茶色、緑色、水色、薄茶色、橙色で発光する。
【００９９】
なお、ステップＳ１１２、Ｓ１１３において、ＣＰＵ１００は、上述のステップＳ１０６と同様、複数の色を抽出領域３０１ａ〜３０１ｎから抽出し、抽出した複数の色を、点灯パターンに組み合わされる色として更新して設定する（Ｓ１１２）。さらに、ＣＰＵ１００は、選択されている点灯パターンと更新された複数の色とを組み合わせて、表示パターンを生成する（Ｓ１１３）。
【０１００】
以上、本変更例の構成によれば、複数の色を発光するイルミネーションの表示パターンを、撮影画像２０２を用いて簡単に作成できる。
【０１０１】
さらに、各光源４０ａ〜４０ｎには、光源４０ａ〜４０ｎと略同じ配置状態で配された抽出領域から抽出された色がそれぞれ指定される。このため、表示パターンに従ったイルミネーションの模様や色彩は、撮影画像２０２の模様や色彩を模したものとなる。よって、ユーザが所望の対象物を被写体として撮影するだけで、被写体の大まかな模様や色彩を模したイルミネーションが生成される。
【０１０２】
＜変更例２＞
変更例２においても、変更例１と同様に、複数の色の光を発する表示パターンが生成される。
【０１０３】
図１０は、本変更例に係る制御処理を説明するためのフローチャートである。図１０のフローチャートは、変更例１における図６のフローチャートに対して、ステップＳ１０４の処理がステップＳ１２１の処理に置き換えられ、ステップＳ１１４とＳ１１５の間に、ステップＳ１２２の処理が挿入される。
【０１０４】
図１０のフローチャートを参照して、たとえば図４（ｂ）のパターン２の点灯パターンを選択する入力を受け付けると（Ｓ１０１）、ＣＰＵ１００は、ステップＳ１２１において、パターン２の点灯パターンに応じた配置状態の抽出領域を設定するとともに、この状態の抽出領域を表す枠の画像を表示する。
【０１０５】
図１１（ａ）〜（ｄ）は、点灯パターンに対応する配置状態の抽出領域と、この抽出領域から抽出される複数の色と上記点灯パターンに従って流れる光との対応関係とを説明す
る図である。
【０１０６】
図１１（ａ）を参照して、表示面２１ｂにおいて、４つの抽出領域３０３ａ〜３０３ｄが所定の配置状態、すなわち２行２列で設けられており、また、イルミネーション部４０において、パターン１の点灯パターンに従ったイルミネーションが示されている。図４（ａ）で説明された通り、パターン１のイルミネーションでは、図１１（ａ）の一点鎖線で囲まれた領域４０１ａ〜４０１ｄにおいて、それぞれ、光が流れる。領域４０１ａ〜４０１ｄで流れる光の色は、それぞれ、抽出領域３０３ａ〜３０３ｄで抽出される色に設定されることとなる。
【０１０７】
図１１（ｂ）を参照して、抽出領域３０３ａ〜３０３ｄが上述と同じ配置状態で設けられており、また、イルミネーション部４０において、パターン２の点灯パターンに従ったイルミネーションが示されている。図４（ｂ）で説明された通り、パターン２のイルミネーションでは、図１１（ｂ）の一点鎖線で囲まれた領域４０２ａ〜４０２ｄにおいて、それぞれ、光が流れる。領域４０２ａ〜４０２ｄで流れる光の色は、それぞれ、抽出領域３０３ａ〜３０３ｄで抽出される色に設定されることとなる。
【０１０８】
なお、パターン２のイルミネーションでは、領域４０２ａ、４０２ｂにおいて流れる２つの光は、光源４０ｅ、４０ｈを通る。領域４０２ａ、４０２ｂで流れる光の色は、領域４０２ａ、４０２ｂに対して指定された各色が適宜合成され、この合成された色の光が光源４０ｅ、４０ｈから発せられるよう構成される。
【０１０９】
図１１（ｃ）を参照して、表示面２１ｂ上に、６つ抽出領域３０４ａ〜３０４ｆが所定の配置状態、すなわち２行３列で設けられており、また、イルミネーション部４０において、パターン３の点灯パターンに従ったイルミネーションが示されている。図４（ｃ）で説明された通り、パターン３のイルミネーションでは、図１１（ｃ）の一点鎖線で囲まれた領域４０３ａ〜４０３ｆにおいて、それぞれ、光が流れる。領域４０３ａ〜４０３ｆで流れる光の色は、それぞれ、抽出領域３０４ａ〜３０４ｆで抽出される色に設定されることとなる。
【０１１０】
図１１（ｄ）を参照して、抽出領域３０３ａ〜３０３ｄが図１１（ａ）と同じ配置状態で設けられており、また、イルミネーション部４０において、パターン４の点灯パターンに従ったイルミネーションが示されている。図４（ｄ）で説明された通り、パターン４のイルミネーションでは、図１１（ｄ）の一点鎖線で囲まれた領域４０４ａ〜４０４ｄにおいて、それぞれ、光が流れる。領域４０４ａ〜４０４ｄで流れる光の色は、それぞれ、抽出領域３０３ａ〜３０３ｄで抽出される色に設定されることとなる。
【０１１１】
図１２（ａ）〜（ｃ）は、本変更例に係る、生成される表示パターンと、この表示パターンに従ったイルミネーションを説明する図である。図１０のフローチャートおよび図１２（ａ）〜（ｃ）を参照して、本変更例に係る処理について、以下に説明する。
【０１１２】
上述の如くパターン２の点灯パターンが選択する入力が受け付けられると、ステップＳ１２１の処理に基づいて、点灯パターンに応じて抽出領域３０３ａ〜３０３ｄが設定され、表示面２１ｂには、撮影画像２０２と、パターン２の点灯パターンに対応した枠の画像２１２ａ〜２１２ｄが表示される。さらに、ＣＰＵ１００は、枠の画像２１２ａ〜２１２ｄに囲まれた抽出領域３０３ａ〜３０３ｄから抽出された４つの色の光が、それぞれ、各領域４０２ａ〜４０２ｄで流れるよう、表示パターンを生成するとともに（Ｓ１０５〜Ｓ１０６）、図１２（ａ）に示す如く、この表示パターンに従ったイルミネーションを表示する。
【０１１３】
図１２（ａ）の例では、領域４０２ａ〜４０２ｄにおいて、それぞれ、青色、薄茶色、緑色および水色の光が流れるよう、イルミネーション部４０にイルミネーションが表示される。
【０１１４】
ここで、たとえば、図１２（ａ）に示す如く、携帯電話機１を被写体に近づけるなどして撮影画像２０２が変化した場合、変化した撮影画像２０２に基づく色のイルミネーションが表示される。すなわち、図１２（ｂ）の例では、領域４０２ａ〜４０２ｄにおいて、それぞれ、緑色、桃色色、緑色および水色の光が流れるよう、イルミネーション部４０にイルミネーションが表示される。
【０１１５】
図１２（ｂ）の状態において、たとえば右キーが押下されると（Ｓ１０８：ＹＥＳ）、ＣＰＵ１００は、ステップＳ１１４の処理に続けて、ステップＳ１２２の処理を実行する。
【０１１６】
ステップＳ１２２において、ＣＰＵ１００は、ステップＳ１１４の処理において更新された点灯パターンに応じて抽出領域を更新して設定する。この際、図１１（ａ）〜（ｄ）を用いて説明されたように、点灯パターンに応じて抽出領域の数および位置が変更される。さらに、ＣＰＵ１００は、抽出領域３０４ａ〜３０４ｆから色を抽出し、抽出した色と点灯パターンとを組み合わせて表示パターンを生成する（Ｓ１１５）。
【０１１７】
かかる後、ＣＰＵ１００は、ステップＳ１１０、Ｓ１１１において、図１２（ｂ）の枠の画像２１２ａ〜２１２ｄにかえて、図１２（ｃ）に示す如く、新たな点灯パターンに対応した抽出領域３０４ａ〜３０４ｆを囲む枠の画像２１３ａ〜２１３ｆを表示する。
【０１１８】
図１２（ｃ）の例では、領域３０４ａ〜３０４ｆにおいて、それぞれ、緑色、桃色色、緑色および水色の光が流れるよう、イルミネーション部４０にイルミネーションが表示される。
【０１１９】
以上、本変更例の構成によれば、イルミネーションの予め決められた領域（光が流れる領域）毎に、それぞれ色が指定される。
【０１２０】
また、抽出領域が点灯パターンに応じて設定され、表示面２１ｂ上に配される。特に、点灯パターンを切り替えるための操作が受け付けられると、点灯パターンが別の点灯パターンへ更新されるとともに、これに応じて、抽出領域の数が変更される。点灯パターンに応じた色の数のイルミネーションを表示できる。
【０１２１】
＜その他＞
以上、本発明の実施の形態について説明したが、本発明は、上記実施の形態によって何ら制限されるものではなく、また、本発明の実施の形態も、上記以外に種々の変更が可能である。
【０１２２】
上記実施の形態では、図４（ａ）〜図５（ｂ）において点灯パターンが例示されたが、これらはあくまで一例であり、各種の点灯パターンに所定の色が組み合わされることができる。
【０１２３】
上記実施の形態では、カメラモジュール２３を用いて撮影された撮影画像２０２に基づいて表示パターンが生成された。しかしながら、表示パターンは、撮影画像のみならず、イラスト、ＣＧ等、いかなる静止画像や動画像に基づいて生成されることができる。また、上記静止画像や動画像は、携帯電話機１を用いて撮影されたものに限らず、有線通信または無線通信を介して取得したされたものであってもよい。たとえば、撮影画像２０２は
、以前に別の撮影機器によって撮影された被写体の画像であってもよい。
【０１２４】
上記実施の形態では、キー操作部１１とは別にイルミネーション部４０が配されている。しかしながら、たとえばキー操作部１１のキートップが点灯（この場合、キートップの背面に光源が配される）する構成が採られている場合、キー操作部１１がイルミネーション部４０を兼ねる構成が採られてもよい。この場合、表示パターンは、キー操作部１１がイルミネーション部４０として機能してイルミネーションを表示するためのパターンである。
【０１２５】
また、上記実施の形態では、イルミネーション部４０は、第２キャビネット２０の正面に配される。しかしながら、イルミネーション部４０は、第１および第２キャビネット１０、２０の外面（正面、背面および外周面）の、いかなる位置に配されてもよい。
【０１２６】
たとえば、イルミネーション部４０が、第１キャビネットの背面（携帯電話機１を折りたたんだ際（図１（ｂ））に外面に露出する面）に配されてもよい。この場合、たとえば、撮影画像２０２が表示面２１ｂに表示されている間、表示パターンが随時生成されるとともに、生成された表示パターンに従ったイルミネーションがイルミネーション部４０に表示される。第１キャビネット１０の背面にサブディスプレイが配されている場合には、当該サブディスプレイがイルミネーション部４０とされる構成が採られてもよい。
【０１２７】
上記実施の形態では、イルミネーション部４０が表示できる色の数が、ディスプレイ２１が表示できる数より少ない。しかしながら、イルミネーション部４０が表示できる色の数が、ディスプレイ２１が表示できる数に同じ、またはこれより多い構成がとられることができる。
【０１２８】
上記実施の形態では、抽出領域の中心に位置する画素の色（色情報）が抽出され、この色が、表示パターンの生成のために点灯パターンに組み合わされた。しかしながら、抽出領域の中心に位置する画素の色に限らず、抽出領域の一部または全体の画像に基づき、各種の方法で色が抽出されてよい。たとえば、抽出領域の中心の近傍の複数の画素の色が平均された色が抽出され得る。また、抽出領域において、明度、彩度、輝度等が高い部分の色が抽出される構成が採られてもよい。また、色が抽出される際、色の明るさや色合いが補正される処理がさらに実行されてもよい。
【０１２９】
上記実施の形態および変更例１、２で説明された抽出領域の表示面２１ｂにおける配置位置はあくまで例示であり、各種の配置位置で、抽出領域が配されることができる。また、ユーザにより抽出領域が移動可能とする構成が採られてもよい。
【０１３０】
上記実施の形態では、決定キーが１回押下されることに基づき、光源４０ａ〜４０ｎが発光する光の色が設定されるが、光源４０ａ〜４０ｎごとに、所望の色が設定される構成が採られてもよい。たとえば、決定キーが押下される毎に、光源４０ａ〜４０ｎに対応される色が順番に設定される構成を採れる。この場合、ユーザが、所望の色が抽出領域上に来るよう撮影画像２０２を表示させながら決定キーを光源４０ａ〜４０ｎの数（１４個）だけ押下することにより、光源４０ａ〜４０ｎが発光する光の色の全てが決定し、ユーザが望む表示パターンが生成される。
【０１３１】
上記実施の形態では、抽出領域は、表示面２１ｂ上の一定の位置に設けられる。しかし、たとえば、ユーザによりなされる入力操作に基づいた位置に抽出領域が設定されてもよい。たとえば、表示面２１ｂにタッチセンサ（図示せず）が配されている場合、タッチされた位置に抽出領域が設けられるとともにここから色が抽出される構成が採られ得る。
【０１３２】
上記実施の形態では、折り畳み式の携帯電話機１を用いたが、スライド式やストレート式（いわゆるスマートフォンを含む）などの携帯電話機１を用いることもできる。たとえば、スマートフォン型の携帯電話機１の所定部分（たとえば外周部）にイルミネーション部４０が配される構成がとられ得る。この場合、図１３に示す如く、撮影画像２０２における、表示面２１ｂの抽出領域３０１上の部分の画像から色（図１３の場合水色）が抽出され、抽出された色と所定の点灯パターンとが組み合わされて表示パターンが生成されるとともに、当該表示パターンに従ったイルミネーションがイルミネーション部４０に表示される。
【０１３３】
また、携帯電話機１に代えてＰＤＡ、タブレットＰＣ、電子書籍端末などの携帯端末装置にも、本発明の実施の形態は適用可能である。
【０１３４】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１３５】
１  携帯電話機  （携帯端末装置）
２１  ディスプレイ  （表示部）
２１ｂ  表示面
２３  カメラモジュール  （カメラ部）
４０  イルミネーション部
４０ａ〜４０ｎ  光源  （発光部）
１００  ＣＰＵ  （表示制御部、生成部、設定部、抽出部）
２０２  撮影画像  （画像）
【図１】
0005865620.tif 000002
【図２】
0005865620.tif 000003
【図３】
0005865620.tif 000004
【図４】
0005865620.tif 000005
【図５】
0005865620.tif 000006
【図６】
0005865620.tif 000007
【図７】
0005865620.tif 000008
【図８】
0005865620.tif 000009
【図９】
0005865620.tif 000010
【図１０】
0005865620.tif 000011
【図１１】
0005865620.tif 000012
【図１２】
0005865620.tif 000013
【図１３】
0005865620.tif 000014